(57)【要約】【課題】鉄心の一部にバイアス用の永久磁石片を組み込んだ点火コイルは、組立時に永久磁石片が位置ずれを起こして性能が低下するなどの問題があるので、組立作業性と生産性を高めると共に、安定した性能を有する内燃機関用点火コイルを提供する。【解決手段】１次コイル１及び２次コイル２が外側に嵌着された直線鉄心部３′と、１次及び２次コイル１，２を囲む外環鉄心部３とが、永久磁石片８を介して結合されてなる閉磁路鉄心を備えた内燃機関用点火コイルであって、永久磁石片８と接する直線鉄心部３′の一端部の端面の断面積が他部分の断面積よりなめらかに拡大していると共に、一端部の端面と接する永久磁石片８の面の周縁が、一端部の端面の周縁より内側にあるようにする。【選択図】    図３
2004363357.tif 000002
【特許請求の範囲】
【請求項１】
１次コイル及び２次コイルが外側に嵌着された直線鉄心部と、前記１次及び２次コイルを囲む外環鉄心部とが、永久磁石片を介して結合されてなる閉磁路鉄心を備えた内燃機関用点火コイルにおいて、
前記永久磁石片と接する前記直線鉄心部の一端部の端面の断面積が他部分の断面積よりなめらかに拡大していると共に、前記一端部の端面と接する前記永久磁石片の面の周縁が、前記一端部の端面の周縁より内側にあるように構成されている、
ことを特徴とする内燃機関用点火コイル。
【請求項２】
請求項１に記載の内燃機関用点火コイルにおいて、
前記直線鉄心部が嵌着されるコイルボビンの前記外環鉄心部側端部に、前記直線鉄心部の一端部と前記永久磁石片とを同時に収容するに足る空間を設けた、
ことを特徴とする内燃機関用点火コイル。
【発明の詳細な説明】
【０００１】
【発明の属する技術分野】
本発明は、自動車エンジンなどの内燃機関の点火プラグに、高電圧を供給して火花放電を生じさせるために用いられる、内燃機関用点火コイルに関する。
【０００２】
【従来の技術】
一般にモールド型の内燃機関用点火コイルは、図６に示すように、２次コイル２、該２次コイル２の内側を貫通する１次コイル１、及び上記１次コイル１の内側を貫通する直線鉄心部３′と、該１次及び２次コイル１，２を囲む外環鉄心部３とを含む閉磁路鉄心を、絶縁ケース４の内部に収容すると共に、一部が絶縁ケース４の内部に貫入する高圧端子６を収容した高圧筒５を上記絶縁ケース４に設けた上、絶縁ケース４内に絶縁樹脂７を注入し固化して構成されている。そして、点火コイルの出力を高めるために、閉磁路鉄心の直線鉄心部３′の一端面と、この一端面と対向する外環鉄心部３の内側面との間に、閉磁路鉄心に磁気バイアスをかけ得る板状の永久磁石片８を装着したものがある（例えば、特許文献１参照。）。
【０００３】
この場合に用いられる永久磁石片８は、直線鉄心部３′の一端部の面と、外環鉄心部３の内側面との双方に、可及的に広い面積で接することが望ましいとされていたため、永久磁石片８の表面は、直線鉄心部３′の一端部の面とほぼ同一形状で、同大の四角形となっていた。
【０００４】
【特許文献１】
特開平８−４５７５５号公報（段落〔００１４〕、段落〔００１５〕、図１および図３）
【０００５】
【発明が解決しようとする課題】
このような従来の構造を備えた内燃機関用点火コイルは、直線鉄心部３′と外環鉄心部３とを組み合わせて閉磁路鉄心に組み立てる際に、永久磁石片８が外環鉄心部３の内側面と接触してずれを起こし易く、直線鉄心部３′の一端部からはみ出すと、１次コイル１を収容した１次ボビンと干渉して破損したり、破損に至らなくても性能を損なうなどの問題があり、また永久磁石片８を正しい位置に組み直すにも手数がかかり、生産性が低下するなどの問題があった。
【０００６】
【課題を解決するための手段】
本発明は、上記問題点を解消するために開発されたものであって、１次コイル及び２次コイルが外側に嵌着された直線鉄心部と、前記１次及び２次コイルを囲む外環鉄心部とが、永久磁石片を介して結合されてなる閉磁路鉄心を備えた内燃機関用点火コイルにおいて、前記永久磁石片と接する前記直線鉄心部の一端部の端面の断面積が他部分の断面積よりなめらかに拡大していると共に、前記一端部の端面と接する前記永久磁石片の面の周縁が、前記一端部の端面の周縁より内側にあるように構成されていることを特徴とする。
また、前記直線鉄心部が嵌着されるコイルボビンの前記外環鉄心部側端部に、前記直線鉄心部の一端部と前記永久磁石片とを同時に収容するに足る空間を設けることで、前記永久磁石片の組み立てが極めて容易、且つ精度良く行うことができ、しかも取付位置のずれなどの発生を防止することができる。
【０００７】
【発明の実施の形態】
図１は本発明の内燃機関用点火コイルの一実施例の、要部の部品の組み合わせ状態を示すもので、図２は、直線鉄心部３′と、Ｃ型鉄心部３Ａ及びこのＣ型鉄心部３Ａの開放端を連結するＩ型連結鉄心部３″からなる外環鉄心部３とを、組み合わせて構成された閉磁路鉄心の上面図である。そして、図３は、上記の直線鉄心部３′の水平断面図であって、該直線鉄心部３′が、一端部の幅がなめらかに拡大してＴ字形状に形成された透磁性鋼板を、多数枚積層してなるものであり、該直線鉄心部３′の断面積は、一端部の端面の近傍でなめらかに増大する形状となっていることを、示している。
【０００８】
一方、該直線鉄心部３′の外側に嵌着したコイルボビン９は、直線鉄心部３′の外側面に適合する内側面形状を備えており、その拡大した端部には、直線鉄心部３′の一端部の端面と接触するように設けられる永久磁石片８を、直線鉄心部３′の一端部と共に収容できる空間９ａが形成されている。そして、該コイルボビン９の拡大した端部の上端と下端とには、永久磁石片８を介して直線鉄心部３′の一端部と対向する外環鉄心部３の上面と下面とを、それぞれ覆うことができる抑え板９ｂと抑え板９ｃとが突設されている。
【０００９】
そして、上記空間９ａの内部には、図４及び図５に示されるように、永久磁石片８が収容されるが、この永久磁石片８の幅と高さは、空間９ａの周壁につかえることなく挿入できる寸法の範囲内にあればよい。従って直線鉄心部３′の拡大した端面と接する永久磁石片８の面の周縁は、前記直線鉄心部３′の一端部の周縁より内側にあることになる。また、この永久磁石片８の厚さは、図５に示されるように上記空間９ａの深さ以下でなければよく、直線鉄心部３′と外環鉄心部３との対向する面の間に確実に密着して、保持される寸法に形成されていることが必要である。
【００１０】
本発明の内燃機関用点火コイルは、上記のように、一端部の断面積がなめらかに拡大してＴ字形状となった直線鉄心部３′の端面と、外環鉄心部３との対向する面の間に、磁気バイアスを形成するための永久磁石片８を挟んであり、該永久磁石片８の周縁は、該直線鉄心部３′の広い端面の周縁よりも内側にあるため、直線鉄心部３′の広い端面の周縁部には、永久磁石片８と非接触状態で外環鉄心部３の面と対向する部分が残されている。
【００１１】
従って、このような構成を備えた直線鉄心部３′と永久磁石片８とを用いると、直線鉄心部３′の端面に吸着させた永久磁石片８は、前記空間９ａ内で自然に正しい姿勢をとることになるので、組立精度が改善できるほか、組立作業の能率も向上する。そしてまた、永久磁石片８の周縁から外側の、直線鉄心部３′の端面と外環鉄心部３との間に空隙が残されているので、組み立てられた点火コイルの作動時には、この空隙に永久磁石片８を迂回する磁気回路が発生して、フリンジング磁束の増加が可能となる。
【００１２】
【発明の効果】
本発明の内燃機関用点火コイルは、組み立てが容易であって精度がよく欠陥のない製品を経済的に提供できる効果がある。そしてまた、直線鉄心部の一端部がなめらかに拡大していると共に、磁気バイアスを加えるための永久磁石片の周縁の外側に、迂回磁路となる空隙が形成されているため、点火コイルの作動時にフリンジング磁束が増加できることになり、永久磁石片の減磁特性を安定化させて、品質の信頼性を更に高め得るという効果もある。
【図面の簡単な説明】
【図１】本発明の内燃機関用点火コイルを構成する要部の部品と、その組立構造を示す斜視図である。
【図２】図１の組立状態を示す上面図である。
【図３】図２のＩＩＩ−ＩＩＩ線に沿った断面図である。
【図４】図２のＩＶ−ＩＶ線に沿った断面図である。
【図５】図４のＶ−Ｖ線に沿った断面図である。
【図６】従来の点火コイルの一般的な例の断面図である。
【符号の説明】
１    １次コイル
２    ２次コイル
３    外環鉄心部（閉磁路鉄心）
３Ａ  Ｃ型鉄心部（外環鉄心部）
３′  直線鉄心部（閉磁路鉄心）
３″  Ｉ型連結鉄心部（外環鉄心部）
４    絶縁ケース
５    高圧筒
６    高圧端子
７    絶縁樹脂
８    永久磁石片
９    コイルボビン
９ａ  空間
９ｂ  抑え板
９ｃ  抑え板
【図１】
2004363357.tif 000003
【図２】
2004363357.tif 000004
【図３】
2004363357.tif 000005
【図４】
2004363357.tif 000006
【図５】
2004363357.tif 000007
【図６】
2004363357.tif 000008